(57)【特許請求の範囲】
【請求項１】
テンションメンバとファイバ心線とを有する光ファイバケーブル同士を接続すべく導入する光ファイバケーブル接続箱において、接続すべき光ファイバケーブル同士を、それぞれテンションメンバとファイバ心線とに分離して導入する接続箱本体と、該接続箱本体内に設けられファイバ心線同士を接続するための収納トレイと、分離された上記テンションメンバを接続箱本体に固定すると共にテンションメンバに予め設定した限界値以上の応力が加わった時にテンションメンバの固定を解除する固定・解除手段と、その固定・解除手段で解除されたテンションメンバの移動に伴なって収納トレイに至るファイバ心線を切断するファイバ心線切断手段とを備えたことを特徴とする光ファイバケーブル接続箱。
【請求項２】
固定・解除手段は、接続箱本体内に設けられた連結金具上に設けられ、光ファイバケーブルのテンションメンバを固定するための支持金具と、一端がその支持金具に取り付けられ、他端が、接続箱本体内に導入された光ファイバケーブル端末部から延びたテンションメンバに取り付けられて、そのテンションメンバを支持金具に固定すると共に、所定の荷重が加わると破断する破断部材とからなる請求項１記載の光ファイバケーブル接続箱。
【請求項３】
光ファイバケーブルのテンションメンバと破断部材とは、テンションメンバクランプで連結され、支持金具は、破断部材を介して光ファイバケーブルを接続箱本体内に引き込む弛度調整手段を備えた請求項１又は２記載の光ファイバケーブル接続箱。
【請求項４】
ファイバ心線切断手段は、連結金具上に設けられ、光ファイバケーブル端末部から伸びるファイバ心線の接続余長を収納するための配線溝部が設けられたファイバ心線切断治具と、そのファイバ心線切断治具の配線溝部と交差するように移動可能に設けられてファイバ心線を切断する切断部材と、上記固定・解除手段で光ファイバケーブルの固定が解除されたとき、上記切断部材を作動させて配線溝部内に収納されているファイバ心線を切断するための切断部材作動手段とからなる請求項１〜３いずれか記載の光ファイバケーブル接続箱。
【請求項５】
切断部材は、ファイバ心線切断治具に形成された切断溝内を移動可能に設けられたカッターと、そのカッターを、配線溝内に収納されたファイバ心線を切断する方向に常時付勢するスプリングとから成り、切断部材作動手段は、上記カッターを切断溝内の通常時の収納位置に保持するストッパーと、固定・解除手段により光ファイバケーブルの固定が解除された時、テンションメンバの移動で、そのストッパーの保持を解除して切断部材を作動させる解除ワイヤーとで形成される請求項１〜４いずれか記載の光ファイバケーブル接続箱。
【請求項６】
連結金具上にファイバ心線の余長を配線・収納するためのファイバ心線変形部を設け、そのファイバ心線変形部内にファイバ心線を所定の径で束取りして収納する請求項１〜５いずれか記載の光ファイバケーブル接続箱。
【請求項７】
請求項１〜６のいずれかに記載の光ファイバケーブル接続箱を所定の等間隔で設置した光ケーブル伝送路を構築し、土砂や倒木等により、光ケーブル伝送路で障害が発生した時、伝送損失の監視装置により、光ケーブル伝送路の障害発生位置の検知をすることを特徴とした伝送路障害検知方法。
【発明の詳細な説明】
【０００１】
【発明の属する技術分野】
本発明は、光ファイバケーブル同士を接続するための光ファイバケーブル接続箱及びこれを用いた伝送路障害検知方法に関するものである。
【０００２】
【従来の技術】
光ファイバケーブル接続箱は、光ファイバケーブル同士を接続するために、光ファイバケーブル端末部を固定し、その両光ファイバケーブルのファイバ心線同士の接続部と接続余長を収納して、その全体を保護するものである。
【０００３】
従来の光ファイバケーブル接続箱では、光ファイバケーブルの固定（引張り）強度は簡単に外れることのないように、下限値を制約しているが、その固定（引張り）強度の限界値（上限）については特に規定がない。
【０００４】
この光ファイバケーブル接続箱を使用した光ケーブル伝送路において、光ファイバケーブルに障害となる応力が加えられた場合の、応力の及ぼす影響を図６を用いて説明する。
【０００５】
６０は光ファイバケーブル接続箱６１を使用した光ケーブル伝送路を示しており、光ファイバケーブル６２が、光ファイバケーブル接続箱６１にて接続されて光ケーブル伝送路６０を構成している。
【０００６】
この光ケーブル伝送路６０において、光ファイバケーブル６２に障害となる応力Ｐが加えられると、応力Ｐが加わった場所の左右の光ファイバケーブル６２は矢印Ｔ方向に引っ張られ、応力の影響は左右に広がっていく。
【０００７】
この光ファイバケーブル接続箱６１では、光ファイバケーブル６２を外れないようにしっかり固定しているため、光ファイバケーブル接続箱６１を通じて、他方の光ファイバケーブル６２に応力が伝搬し、更に遠くの範囲Ｅまで応力の影響が伝わる。
【０００８】
【発明が解決しようとする課題】
上記したように、従来の光ファイバケーブル接続箱では、光ファイバケーブルの固定（引っ張り）強度の限界値が制約されていないため、光ファイバケーブルに大きな応力が加えられると、その部分の光ファイバケーブルと両端の光ファイバケーブル接続箱の接続区間だけでなく、その前後の接続区間まで応力の影響が広がり、破損する可能性があり、伝送路の被害の広範囲化を招く欠点があった。
【０００９】
また、障害となる応力の加わった位置および応力の影響範囲の特定に時間がかかる問題があった。
【００１０】
そこで、本発明の目的は、上記課題を解決し、光ファイバケーブルの伝送路内で障害となる応力が発生した場合に、その応力の影響範囲を局地的におさえ、かつ、その応力の発生位置を迅速に発見することができる光ファイバケーブル接続箱及びこれを用いた伝送路障害検知方法を提供することにある。
【００１１】
【課題を解決するための手段】
上記目的を達成するために、請求項１の発明は、テンションメンバとファイバ心線とを有する光ファイバケーブル同士を接続すべく導入する光ファイバケーブル接続箱において、接続すべき光ファイバケーブル同士を、それぞれテンションメンバとファイバ心線とに分離して導入する接続箱本体と、該接続箱本体内に設けられファイバ心線同士を接続するための収納トレイと、分離された上記テンションメンバを接続箱本体に固定すると共にテンションメンバに予め設定した限界値以上の応力が加わった時にテンションメンバの固定を解除する固定・解除手段と、その固定・解除手段で解除されたテンションメンバの移動に伴なって収納トレイに至るファイバ心線を切断するファイバ心線切断手段とを備えた光ファイバケーブル接続箱である。
【００１２】
請求項２の発明は、固定・解除手段は、接続箱本体内に設けられた連結金具上に設けられ、光ファイバケーブルのテンションメンバを固定するための支持金具と、一端がその支持金具に取り付けられ、他端が、接続箱本体内に導入された光ファイバケーブル端末部から延びたテンションメンバに取り付けられて、そのテンションメンバを支持金具に固定すると共に、所定の荷重が加わると破断する破断部材とからなる請求項１記載の光ファイバケーブル接続箱である。
【００１３】
請求項３の発明は、光ファイバケーブルのテンションメンバと破断部材とは、テンションメンバクランプで連結され、支持金具は、破断部材を介して光ファイバケーブルを接続箱本体内に引き込む弛度調整手段を備えた請求項１又は２記載の光ファイバケーブル接続箱である。
【００１４】
請求項４の発明は、ファイバ心線切断手段は、連結金具上に設けられ、光ファイバケーブル端末部から伸びるファイバ心線の接続余長を収納するための配線溝部が設けられたファイバ心線切断治具と、そのファイバ心線切断治具の配線溝部と交差するように移動可能に設けられてファイバ心線を切断する切断部材と、上記固定・解除手段で光ファイバケーブルの固定が解除されたとき、上記切断部材を作動させて配線溝部内に収納されているファイバ心線を切断するための切断部材作動手段とからなる請求項１〜３いずれか記載の光ファイバケーブル接続箱である。
【００１５】
請求項５の発明は、切断部材は、ファイバ心線切断治具に形成された切断溝内を移動可能に設けられたカッターと、そのカッターを、配線溝内に収納された光ファイバ心線を切断する方向に常時付勢するスプリングとから成り、切断部材作動手段は、上記カッターを切断溝内の通常時の収納位置に保持するストッパーと、固定・解除手段により光ファイバケーブルの固定が解除された時、テンションメンバの移動で、そのストッパーの保持を解除して切断部材を作動させる解除ワイヤーとで形成される請求項１〜４いずれか記載の光ファイバケーブル接続箱である。
【００１６】
請求項６の発明は、連結金具上にファイバ心線の余長を配線・収納するためのファイバ心線変形部を設け、そのファイバ心線変形部内にファイバ心線を所定の径で束取りして収納する請求項１〜５いずれか記載の光ファイバケーブル接続箱である。
【００１７】
請求項７の発明は、請求項１〜６のいずれかに記載の光ファイバケーブル接続箱を所定の等間隔で設置した光ケーブル伝送路を構築し、土砂や倒木等により、光ケーブル伝送路で障害が発生した時、伝送損失の監視装置により、光ケーブル伝送路の障害発生位置の検知をすることを特徴とした伝送路障害検知方法である。
【００１８】
【発明の実施の形態】
以下、本発明の好適一実施の形態を添付図面に基づいて詳述する。
【００１９】
図１は、平面断面図、図２は、正面断面図、図３は、側面図、図４は、ファイバ心線切断手段の拡大図である。
【００２０】
まず、本発明の光ファイバケーブル接続箱を説明する。
【００２１】
光ファイバケーブル接続箱１の外形構造は、本体２とカバー４を、気密性を確保するための端面ゴムパッキン４３ａ，４３ｂ、ゴムパッキン４４、シール材４５を介在してボルト４２で締め付ける構造で、気密状態をガスバルブ４６でチェック出来る構造となっている。
【００２２】
また、本体２とカバー４の両端には、接続する光ファイバケーブル端末部５を導入するための導入口１４が形成され、導入口１４には、導入する光ファイバケーブル端末部５を保護するためのスリーブ９が設けられている。
【００２３】
光ファイバケーブル接続箱１の内部構造は、本体２に連結金具３が設けられ、その連結金具３上には、接続する光ファイバケーブル端末部５と、光ファイバケーブル端末部５から伸びるテンションメンバ６を固定すると共に、光ケーブルに所定の応力が加わったときにその固定を解除するための固定・解除手段２０と、光ファイバケーブル端末部５およびテンションメンバ６の固定が解除されてテンションメンバ６が移動したときに、ファイバ心線５０を切断するためのファイバ心線切断手段２５と、ファイバ心線５０同士の接続部２１および接続余長を収納するための収納トレイ２２とが設けられている。
【００２４】
まず、光ファイバケーブル端末部５の固定・解除手段２０の構造を説明する。
【００２５】
図１に示すように、光ファイバケーブル端末部５の固定・解除手段２０は、連結金具３上に設けられ、光ファイバケーブル端末部５から延びるテンションメンバ６を固定するための支持金具１０と、一端がその支持金具１０に取付けられ、光ファイバケーブルに所定の応力が加わった時に、光ファイバケーブル端末部５の固定を解除するために、所定の荷重で破断する断面積に加工された破断部材８と、その破断部材８の他端とテンションメンバ６を連結するテンションメンバクランプ７とで形成される。
【００２６】
光ファイバケーブルに応力が加わり、光ファイバケーブル端末部５が引っ張られて、破断部材８に所定の荷重がかかった時、破断部材８が破断して、支持金具１０により連結金具３上に固定されていた光ファイバケーブル端末部５、テンションメンバ６、およびテンションメンバクランプ７の固定が解除され、図１において横方向に移動可能となる。
【００２７】
また、支持金具１０は、固定金具１１と、破断部材８と連結している弛度調整用ネジ加工部１３と、その弛度調整用ネジ加工部１３と螺合している弛度調整ナット１２とで構成され、弛度調整手段は、弛度調整用ネジ加工部１３と螺合している弛度調整ナット１２をまわすことにより、支持金具１０により固定されている破断部材８とテンションメンバクランプ７および光ファイバケーブル端末部５の固定位置を変えて、接続する光ファイバケーブルの弛度調整ができるようになっている。
【００２８】
次に、光ファイバケーブル端末部５から収納トレイ２２に収納される間のファイバ心線５０を配線すると共に、テンションメンバ６の移動に伴なってそのファイバ心線５０を切断するためのファイバ心線切断手段２５の構造を説明する。
【００２９】
図２に示すように、連結金具３の両端には、ファイバ心線変形部１５が設けられ、その上部には、ファイバ心線切断治具１６が、蝶番１７および固定ネジ１８により、ファイバ心線変形部１５に対して、回動可能かつ、閉じた状態で固定できるように設けられている。
【００３０】
また、ファイバ心線切断治具１６の上部には、切断するファイバ心線５０を収納する円状の配線溝部１９が設けられ、配線溝部１９の上部には切断治具カバー２３が取付けられている。
【００３１】
図４に示すように、ファイバ心線切断治具１６には、円状の配線溝部１９の中心を交差して図４において縦方向に、切断溝２６が設けられ、その切断溝２６内には、切断部材５１が切断溝２６内を移動可能に収納されている。
【００３２】
切断部材５１は、カッター２７と、カッター２７と連結したシャフト２８と、コイルスプリング２９およびスプリング押さえ３０とで形成され、コイルスプリング２９によって、カッター２７が配線溝部１９と切断溝２６の交差している部分に配線されているファイバ心線５０ａを切断する方向（図において下側）に常時付勢されている。
【００３３】
この切断部材５１を作動する切断部材作動手段４０は、マツバピン３４、ピン押さえ３５、解除ワイヤー３６等で形成され、マツバピン３４をシャフト２８に設けられた穴３３に挿入して、ピン押さえ３５で、挿入したマツバピン３４を押さえることにより、通常時には、コイルスプリング２９を圧縮して、切断部材５１を切断溝２６の上端の位置で保持している。
【００３４】
解除ワイヤー３６は、一端がマツバピン３４と連結されており、光ファイバケーブル端末部５から伸びるテンションメンバ６をまたいで２ケ所に設置されているワイヤーガイド３８に沿ってコ字状に配線され、他端部はワイヤークランプ３７により連結金具３に固定されている。
【００３５】
また、解除ワイヤー３６と、導入された光ファイバケーブル端末部５からのテンションメンバ６は、２ケのワイヤーガイド３８の中間でワイヤー固定金具３９によって固定されている。
【００３６】
この光ファイバケーブル接続箱１における、光ファイバケーブルの接続を説明する。
【００３７】
まず、接続する光ファイバケーブル端末部５をスリーブ９から導入し、その光ファイバケーブル端末部５から延びるテンションメンバ６を、ワイヤー固定金具３９によって解除ワイヤー３６と固定した後、テンションメンバ６をテンションメンバクランプ７に取付ける。
【００３８】
光ファイバケーブル端末部５から伸びるファイバ心線５０は、φ６０の径で１ターン束取りしてファイバ心線変形部１５に収納する。
【００３９】
収納の際は、ファイバ心線切断治具１６を固定している固定ネジ１８を回して固定を解除した後、ファイバ心線切断治具１６を回動してファイバ心線変形部１５を露出させた状態で行い、収納完了後、ファイバ心線切断治具１６を閉じて、固定ネジ１８によりファイバ心線変形部１５上に固定する。
【００４０】
ファイバ心線変形部１５に収納した後、残りのファイバ心線５０の余長を、ファイバ心線孔４６からファイバ心線変形部１５の外に出し、ファイバ心線切断治具１６に設けられた円状の配線溝部１９に沿って収納して、シリコン接着剤４７で配線溝部１９内に２ヶ所固定して、配線溝部１９の上部に切断治具カバー２３を取付ける。
【００４１】
配線溝部１９から伸びるファイバ心線５０の余長を、収納トレイ２２に導入して、光ファイバケーブル接続箱１の左端から導入される光ファイバケーブルのファイバ心線と接続し、その接続部２１と接続余長を収納トレイ２２に収納する。
【００４２】
本発明の光ファイバケーブル接続箱の作用を説明する。
【００４３】
まず、障害となる応力が図１において光ファイバケーブル接続箱の右側で発生すると、光ファイバケーブル端末部５が図１において右方向に引っ張られる、つまり光ファイバケーブル端末部５、テンションメンバ６、およびテンションメンバクランプ７が右方向へ引っ張られ、破断部材８に荷重が加わる。
【００４４】
破断部材８に予め特定した限界値以上の荷重が加わると、破断部材８が破断して、光ファイバケーブル端末部５、テンションメンバ６、およびテンションメンバクランプ７の固定が解除され、横方向へ移動可能となり、右方向へ移動する。
【００４５】
光ファイバケーブル端末部５の固定が解除されて、光ファイバケーブル端末部５が右方向に移動すると、光ファイバケーブル端末部５から伸びるファイバ心線５０が右方向に引っ張られ、ファイバ心線変形部１５内にφ６０で束取りして収納されているファイバ心線５０の束取り径が小さくなり伝送損失が増加する。
【００４６】
更に、図４（ｂ）に示すようにテンションメンバ６が右方向（図中矢印Ａ）へ移動することにより、そのテンションメンバ６にワイヤー固定金具３９によって固定されている解除ワイヤー３６が右方向に引っ張られる。
【００４７】
解除ワイヤー３６は、一端がワイヤークランプ３７により連結金具３上に固定されているため、マツバピン３４と連結している方の一端がワイヤーガイド３８に沿って引っ張られて、シャフト２８および切断部材５１を切断溝２６の上端の位置に保持しているマツバピン３４がシャフト２８の穴３３から抜ける。
【００４８】
マツバピン３４が、抜けることにより、シャフト２８の固定が解除され、圧縮から解放されたコイルスプリング２９が伸びることにより、カッター２７、シャフト２８、カッター押さえ３０が切断溝２６を下（図中矢印Ｂ）へ移動して切断溝２６に配線されているファイバ心線５０を切断して伝送異常状態となる。
【００４９】
前述したように、光ファイバケーブルに所定の応力が加わると、光ファイバケーブル端末部５の固定が解除されて、横方向に移動可能となるため、応力の影響は、光ファイバケーブル接続箱１の左端に固定されている光ファイバケーブルには伝わらなくなる。
【００５０】
次に本発明の光ファイバケーブル接続箱を使用した光ケーブル伝送路において、光ファイバケーブルに障害となる応力が加えられた時の、応力の及ぼす影響および伝送路障害検知方法を、図５を用いて説明する。
【００５１】
５５は本発明の光ファイバケーブル接続箱を使用した光ケーブル伝送路を示しており、光ファイバケーブル５７が、本発明の光ファイバケーブル接続箱１ａ，１ｂ，１ｃにて接続されて光ケーブル伝送路５５を構成している。
【００５２】
この光ケーブル伝送路５５において、光ファイバケーブル５７に障害となる応力Ｐが加えられると、応力Ｐが加わった場所の左右の光ファイバケーブル５７が引っ張られ、応力が左右に広がり、応力発生箇所に一番近い光ファイバケーブル接続箱１ｂの破断部が破断して光ファイバケーブル端末部５８の固定が解除される。
【００５３】
このため、応力の影響は光ファイバケーブル５７の固定が解除された光ファイバケーブル接続箱１ｂより広がることなく、Ｅの範囲が応力の影響を受け、Ｎの範囲は応力の影響を受けない。
【００５４】
伝送監視装置により、光ファイバ心線を変形・切断して伝送異常状態となった光ファイバケーブル接続箱１ｂを検知することによって、応力の発生位置を迅速に検知できる。
【００５５】
また、倒木や土砂崩壊などの障害発生が予測される個所に、光ケーブルを検知線、光ファイバケーブル接続箱を検出器とした光ケーブル伝送路を構築し、光ケーブルに張力が加えられた際、伝送状態の悪化による障害発生の有無を監視するシステムに適用可能である。
【００５６】
【発明の効果】
以上要するに本発明によれば、光ファイバケーブルに応力が加わった時、光ファイバケーブル接続箱に接続されている光ファイバケーブルの固定が解除されるため、応力の影響がそれ以上広がることを防ぎ、応力の影響を局地的に押さえることができると共に、光ファイバ心線を変形・切断し、伝送異常状態とするため、伝送監視装置により障害発生位置を迅速に検知でき、かつ、応力の影響範囲の光ファイバケーブル割り入れ接続を行うことで復旧作業を短時間で経済的にすることができる。
【図面の簡単な説明】
【図１】本発明の光ファイバケーブル接続箱の一実施の形態の平面断面図である。
【図２】本発明の光ファイバケーブル接続箱の一実施の形態の正面断面図である。
【図３】本発明の光ファイバケーブル接続箱の一実施の形態の側面図である。
【図４】本発明の一実施の形態のファイバ心線切断手段の拡大図である。
【図５】本発明の光ファイバケーブル接続箱を使用した伝送路例を示す図である。
【図６】従来の光ファイバケーブル接続箱を使用した伝送路例を示す図である。
【符号の説明】
１  光ファイバケーブル接続箱
５  光ファイバケーブル端末部
８  破断部
２０  固定・解除手段
２５  ファイバ心線切断手段
【図１】
0003777077.tif 000002
【図２】
0003777077.tif 000003
【図３】
0003777077.tif 000004
【図４】
0003777077.tif 000005
【図５】
0003777077.tif 000006
【図６】
0003777077.tif 000007